(57)【要約】【課題】自宅の受信装置が有する放送コンテンツの視聴ライセンスを外出先の受信装置に委譲することで、本来自宅の受信装置においてのみ視聴が可能な放送コンテンツを外出先の受信装置でも視聴できるようにする。【解決手段】放送コンテンツ提供依頼部３２２は、放送コンテンツ視聴依頼受付部３２１が電子携帯端末３０１からの放送コンテンツ視聴依頼を受け付けると、放送コンテンツ提供機関３０４に対して放送コンテンツの提供を依頼する。ＣＡＳライセンス取得通知送信部３２４は、ＣＡＳライセンス受信部３２３が電子携帯端末３０１からのＣＡＳライセンス（放送コンテンツの視聴ライセンス）を受信した場合に、ＣＡＳ管理機関３０３に対してＣＡＳライセンスを取得した旨の通知を送信する。放送コンテンツ受信部３２５は、放送コンテンツ提供機関３０４から提供された放送コンテンツを受信する。【選択図】図３
2007214667.tif 000002
【特許請求の範囲】
【請求項１】
ＣＡＳ（Ｃｏｎｄｉｔｉｏｎａｌ  Ａｃｃｅｓｓ  Ｓｙｓｔｅｍ）に基づく放送コンテンツの視聴ライセンス（ＣＡＳライセンス）の発行要求に基づいて、当該ＣＡＳライセンスを要求先に発行する発行管理手段と、
前記発行管理手段により発行されたＣＡＳライセンスを用いた放送コンテンツの視聴分に対応した利用料金の回収を行う利用料金回収手段と、
前記利用料金回収手段により回収された前記利用料金を、該当する放送コンテンツのサービス提供者に対して分配する分配管理手段と、
を備えたことを特徴とするＣＡＳ管理装置。
【請求項２】
ＣＡＳ（Ｃｏｎｄｉｔｉｏｎａｌ  Ａｃｃｅｓｓ  Ｓｙｓｔｅｍ）カードのＣＡＳライセンスを用いて放送コンテンツを受信する受信装置において、
前記ＣＡＳカードは、
他の受信装置により前記ＣＡＳライセンスを用いた前記放送コンテンツの受信を行う際に、前記他の受信装置にデータ接続自在な携帯端末に対し、前記ＣＡＳライセンスを委譲するＣＡＳライセンス委譲手段を備えたことを特徴とする受信装置。
【請求項３】
ＣＡＳ（Ｃｏｎｄｉｔｉｏｎａｌ  Ａｃｃｅｓｓ  Ｓｙｓｔｅｍ）カードのＣＡＳライセンスを用いて放送コンテンツを受信する委譲元の受信装置と、委譲先の受信装置との間でそれぞれデータ接続自在な携帯端末であって、
前記委譲元の受信装置から委譲されたＣＡＳライセンスを前記委譲先の受信装置に委譲するために格納するデータ保持手段を備えたことを特徴とする携帯端末。
【請求項４】
前記放送コンテンツを視聴するための利用料金に対応したプリペイドチケット情報を、プリペイドチケットの発行装置から受けて保有するプリペイド機能手段を備えたことを特徴とする請求項３に記載の携帯端末。
【請求項５】
ＣＡＳ（Ｃｏｎｄｉｔｉｏｎａｌ  Ａｃｃｅｓｓ  Ｓｙｓｔｅｍ）カードのＣＡＳライセンスの委譲を受けて放送コンテンツを受信する受信装置において、
前記ＣＡＳカードは、
前記放送コンテンツの受信を行う際に、既にＣＡＳライセンスを有する委譲元の受信装置にデータ接続自在な携帯端末から前記ＣＡＳライセンスの委譲を受けるＣＡＳライセンス委譲手段を備えたことを特徴とする受信装置。
【請求項６】
前記ＣＡＳカードは、
前記携帯端末からプリペイドチケット情報に基づいて、ＣＡＳライセンスを管理するＣＡＳ管理装置に対して利用料金の支払いを要求することを特徴とする請求項５に記載の受信装置。
【請求項７】
ＣＡＳ（Ｃｏｎｄｉｔｉｏｎａｌ  Ａｃｃｅｓｓ  Ｓｙｓｔｅｍ）カードを用いて放送コンテンツを視聴する際に、当該放送コンテンツの視聴の利用料金に対応したプリペイドチケットを発行するプリペイドチケットの発行装置であって、
前記プリペイドチケットの発行時には、ＣＡＳライセンスを管理するＣＡＳ管理装置との間で連携して、該当するＣＡＳカードに紐付けた前記プリペイドチケットを発行する発行手段を備えたことを特徴とするプリペイドチケット発行装置。
【請求項８】
前記発行手段は、
前記ＣＡＳライセンスを委譲する途中の携帯端末、または委譲元の受信装置から前記プリペイドチケットの発行要求を受けると、当該携帯端末が保有する委譲予定の前記ＣＡＳライセンスに紐付けたプリペイドチケットの情報を前記携帯端末に対して発行することを特徴とする請求項７に記載のプリペイドチケット発行装置。
【請求項９】
放送コンテンツの視聴ライセンス（ＣＡＳライセンス）を委譲元の受信装置から委譲先の受信装置に委譲するＣＡＳライセンス委譲方法であって、
ＣＡＳライセンスを有する委譲元の受信装置から所定の携帯端末に対して自らが有するＣＡＳライセンスを一時的に委譲させるＣＡＳライセンス一時委譲工程と、
前記携帯端末から前記委譲先の受信装置に対して前記ＣＡＳライセンスを委譲させるＣＡＳライセンス委譲工程と、
前記ＣＡＳライセンスを前記委譲先の受信装置からＣＡＳライセンスを管理するＣＡＳ管理機関に送出し、ＣＡＳライセンスの正当性を判断するＣＡＳライセンス判断工程と、
前記委譲先の受信装置により、委譲された前記ＣＡＳライセンスを用いてサービス提供者から前記放送コンテンツの提供を受けるコンテンツ提供工程と、
を含むことを特徴とするＣＡＳライセンス委譲方法。
【請求項１０】
前記ＣＡＳライセンス一時委譲工程の後に、
前記ＣＡＳライセンスに紐付けられ放送コンテンツの視聴の利用料金に対応するプリペイドチケットを、所定のプリペイドチケット発行装置から発行するプリペイドチケット発行工程を含み、
前記ＣＡＳライセンス判断工程は、
前記ＣＡＳライセンスおよび前記プリペイドチケットの情報を前記委譲先の受信装置からＣＡＳライセンスを管理するＣＡＳ管理機関に送出し、ＣＡＳライセンスの正当性および放送コンテンツの提供を判断することを特徴とする請求項９に記載のＣＡＳライセンス委譲方法。
【請求項１１】
請求項９または１０に記載の方法をコンピュータに実行させることを特徴とするプログラム。
【発明の詳細な説明】
【技術分野】
【０００１】
この発明は、デジタル放送に対応可能な、ＣＡＳ管理装置、受信装置、携帯端末、プリペイドチケット発行装置、ＣＡＳライセンス委譲方法およびプログラムに関する。
【背景技術】
【０００２】
近年、放送コンテンツをデジタル化して放送するデジタル放送が実用化されている。デジタル放送では、高画質化、多チャンネル化、双方向化が実現でき、従来から実施されている衛星デジタル放送に加え、地上波アナログ放送をデジタル放送に移行させる準備が進められている。このようなデジタル放送では、ＣＡＳ（Ｃｏｎｄｉｔｉｏｎａｌ  Ａｃｃｅｓｓ  Ｓｙｓｔｅｍ）カードなどを用いることによって、放送コンテンツに対するアクセスやコピー作成制御を行い、放送コンテンツの著作権を保護している（例えば、下記非特許文献１参照。）。
【０００３】
【非特許文献１】［ｏｎｌｉｎｅ］、平成１３年１０月１日、株式会社  ビーエス・コンディショナルアクセスシステムズ、［平成１７年１１月４日検索］、インターネット＜ＵＲＬ：ｈｔｔｐ：／／ｗｗｗ．ｂ−ｃａｓ．ｃｏ．ｊｐ／ｉｎｄｅｘ．ｈｔｍｌ＞
【発明の開示】
【発明が解決しようとする課題】
【０００４】
しかしながら、従来のデジタル放送では、実際にＣＡＳカードが受信装置に挿入されていないと放送コンテンツを視聴することができない。したがって、例えば外出先で携帯端末などにより放送コンテンツを受信しようとする場合は、ＣＡＳカードを受信装置から取り外して持ち出す必要があり、自宅に残った家族が放送コンテンツを視聴できないという問題があった。また、ＣＡＳカードを持ち出すことで、今度はＣＡＳカードの紛失のおそれもある。
【０００５】
この発明は、上述した従来技術による問題点を解消するため、受信装置が有する放送コンテンツの視聴ライセンスを外部受信装置に委譲することで、本来受信装置においてのみ視聴が可能な放送コンテンツを外部受信装置に対して視聴させることができるＣＡＳ管理装置、受信装置、携帯端末、プリペイドチケット発行装置、ＣＡＳライセンス委譲方法およびプログラムを提供することを目的とする。
【課題を解決するための手段】
【０００６】
上述した課題を解決し、目的を達成するため、請求項１に記載の発明にかかるＣＡＳ管理装置は、ＣＡＳ（Ｃｏｎｄｉｔｉｏｎａｌ  Ａｃｃｅｓｓ  Ｓｙｓｔｅｍ）に基づく放送コンテンツの視聴ライセンス（ＣＡＳライセンス）の発行要求に基づいて、当該ＣＡＳライセンスを要求先に発行する発行管理手段と、前記発行管理手段により発行されたＣＡＳライセンスを用いた放送コンテンツの視聴分に対応した利用料金の回収を行う利用料金回収手段と、前記利用料金回収手段により回収された前記利用料金を、該当する放送コンテンツのサービス提供者に対して分配する分配管理手段と、を備えたことを特徴とする。
【０００７】
また、請求項２に記載の発明にかかる受信装置は、ＣＡＳ（Ｃｏｎｄｉｔｉｏｎａｌ  Ａｃｃｅｓｓ  Ｓｙｓｔｅｍ）カードのＣＡＳライセンスを用いて放送コンテンツを受信する受信装置において、前記ＣＡＳカードは、他の受信装置により前記ＣＡＳライセンスを用いた前記放送コンテンツの受信を行う際に、前記他の受信装置にデータ接続自在な携帯端末に対し、前記ＣＡＳライセンスを委譲するＣＡＳライセンス委譲手段を備えたことを特徴とする。
【０００８】
また、請求項３に記載の発明にかかる携帯端末は、ＣＡＳ（Ｃｏｎｄｉｔｉｏｎａｌ  Ａｃｃｅｓｓ  Ｓｙｓｔｅｍ）カードのＣＡＳライセンスを用いて放送コンテンツを受信する委譲元の受信装置と、委譲先の受信装置との間でそれぞれデータ接続自在な携帯端末であって、前記委譲元の受信装置から委譲されたＣＡＳライセンスを前記委譲先の受信装置に委譲するために格納するデータ保持手段を備えたことを特徴とする。
【０００９】
また、請求項４に記載の発明にかかる携帯端末は、請求項３に記載の発明において、前記放送コンテンツを視聴するための利用料金に対応したプリペイドチケット情報を、プリペイドチケットの発行装置から受けて保有するプリペイド機能手段を備えたことを特徴とする。
【００１０】
また、請求項５に記載の発明にかかる受信装置は、ＣＡＳ（Ｃｏｎｄｉｔｉｏｎａｌ  Ａｃｃｅｓｓ  Ｓｙｓｔｅｍ）カードのＣＡＳライセンスの委譲を受けて放送コンテンツを受信する受信装置において、前記ＣＡＳカードは、前記放送コンテンツの受信を行う際に、既にＣＡＳライセンスを有する委譲元の受信装置にデータ接続自在な携帯端末から前記ＣＡＳライセンスの委譲を受けるＣＡＳライセンス委譲手段を備えたことを特徴とする。
【００１１】
また、請求項６に記載の発明にかかる受信装置は、請求項５に記載の発明において、前記ＣＡＳカードは、前記携帯端末からプリペイドチケット情報に基づいて、ＣＡＳライセンスを管理するＣＡＳ管理装置に対して利用料金の支払いおよび前記放送コンテンツの視聴の提供を要求することを特徴とする。
【００１２】
また、請求項７に記載の発明にかかるプリペイドチケット発行装置は、ＣＡＳ（Ｃｏｎｄｉｔｉｏｎａｌ  Ａｃｃｅｓｓ  Ｓｙｓｔｅｍ）カードを用いて放送コンテンツを視聴する際に、当該放送コンテンツの視聴の利用料金に対応したプリペイドチケットを発行するプリペイドチケットの発行装置であって、前記プリペイドチケットの発行時には、ＣＡＳライセンスを管理するＣＡＳ管理装置との間で連携して、該当するＣＡＳカードに紐付けた前記プリペイドチケットを発行する発行手段を備えたことを特徴とする。
【００１３】
また、請求項８に記載の発明にかかるプリペイドチケット発行装置は、請求項７に記載の発明において、前記発行手段は、前記ＣＡＳライセンスを委譲する途中の携帯端末から前記プリペイドチケットの発行要求を受けると、当該携帯端末が保有する委譲予定の前記ＣＡＳライセンスに紐付けたプリペイドチケットの情報を前記携帯端末に対して発行することを特徴とする。
【００１４】
また、請求項９に記載の発明にかかるＣＡＳライセンス委譲方法は、放送コンテンツの視聴ライセンス（ＣＡＳライセンス）を委譲元の受信装置から委譲先の受信装置に委譲するＣＡＳライセンス委譲方法であって、ＣＡＳライセンスを有する委譲元の受信装置から所定の携帯端末に対して自らが有するＣＡＳライセンスを一時的に委譲させるＣＡＳライセンス一時委譲工程と、前記携帯端末から前記委譲先の受信装置に対して前記ＣＡＳライセンスを委譲させるＣＡＳライセンス委譲工程と、前記ＣＡＳライセンスを前記委譲先の受信装置からＣＡＳライセンスを管理するＣＡＳ管理機関に送出し、ＣＡＳライセンスの正当性を判断するＣＡＳライセンス判断工程と、前記委譲先の受信装置により、委譲された前記ＣＡＳライセンスを用いてサービス提供者から前記放送コンテンツの提供を受けるコンテンツ提供工程と、を含むことを特徴とする。
【００１５】
また、請求項１０に記載の発明にかかるＣＡＳライセンス委譲方法は、請求項９に記載の発明において、前記ＣＡＳライセンス一時委譲工程の後に、前記ＣＡＳライセンスに紐付けられ放送コンテンツの視聴の利用料金に対応するプリペイドチケットを、所定のプリペイドチケット発行装置から発行するプリペイドチケット発行工程を含み、前記ＣＡＳライセンス判断工程は、前記ＣＡＳライセンスおよび前記プリペイドチケットの情報を前記委譲先の受信装置からＣＡＳライセンスを管理するＣＡＳ管理機関に送出し、ＣＡＳライセンスの正当性および放送コンテンツの提供を判断することを特徴とする。
【００１６】
また、請求項１１に記載の発明にかかるプログラムは、請求項９または１０に記載の方法をコンピュータに実行させることを特徴とする。
【発明の効果】
【００１７】
この発明によれば、放送コンテンツの視聴ライセンスを委譲することにより、本来一つの受信装置においてのみ視聴が可能な放送コンテンツを委譲先の受信装置でも視聴することができるという効果を奏する。
【発明を実施するための最良の形態】
【００１８】
以下、添付図面を参照して、この発明にかかるＣＡＳ管理装置、受信装置、携帯端末、プリペイドチケット発行装置、ＣＡＳライセンス委譲システム、ＣＡＳライセンス委譲方法およびこの方法を実現するプログラムの好適な実施の形態を詳細に説明する。
【００１９】
（コンテンツ視聴における権利委譲システムの全体構成）
図１−１は、コンテンツ視聴における視聴ライセンスの権利委譲システムを示す全体構成図である。ＣＡＳライセンス委譲システム１は、コンテンツ視聴における視聴ライセンス（ＣＡＳライセンス）を管理するＣＡＳ管理機関２と、ＣＡＳカード３を有してコンテンツの視聴を行う自宅等に設置される委譲元の受信装置４と、委譲元の受信装置４のＣＡＳカード３から視聴ライセンスを一時的に委譲される携帯端末５と、ＣＡＳカード６を有してコンテンツ視聴を行う外出先等に設置される第２の受信装置７と、を有している。８は、委譲先の受信装置７に接続されコンテンツ視聴を行うためのモニタである。
【００２０】
ＣＡＳ管理機関２は、プリペイド発行管理部Ａと、プリペイド分回収管理部Ｂと、利用料金の分配管理部Ｃを有している。これらは、サーバーやＤＢなどで構成される。ここで、コンテンツ視聴とは、複数のサービス提供者９がそれぞれ提供する放送サービスのリアルタイムな視聴およびオンデマンドサービスの視聴のいずれであってもよい。
【００２１】
また、プリペイドチケット発行のシステムを用いてコンテンツ視聴を行える。この場合、携帯端末５はプリペイド機能部５ａを有する。コンビニエンスストア等のプリペイド販売店１０には、プリペイド発行管理端末Ｄを備えており、ＣＡＳ管理機関２のプリペイド発行管理部Ａとの間でプリペイドチケットの発行管理を連携している。なお、プリペイドチケットは、電子化されたチケットデータであり、任意に追加発行して携帯端末５のプリペイド機能部５ａに蓄積される。
【００２２】
ＣＡＳカード３，６および携帯端末５は、ＣＡＳライセンスの委譲およびプリペイドチケットのデータを保有するやりとりを行うためにＣＰＵやＲＯＭ、ＲＡＭ等のメモリを有する。例えば、携帯端末５としては、携帯電話やＰＤＡ、携帯型のＣＤ／ＤＶＤプレーヤー、ＣＰＵ機能を有するＩＣチップが内蔵されたプリペイドカードや、キャッシュカード、クレジットカート、定期券、鍵等を用いることができる。
【００２３】
プリペイドチケットやＣＡＳライセンスの処理は、セキュリティが確保された領域で行われる。図１−１においてセキュリティが確保されている領域とは、自宅に設置される委譲元の受信装置４と、外出先である委譲先の受信装置７にそれぞれ装着されたＣＡＳカード３、６、ＣＡＳ管理機関２、携帯端末５内のプリペイド機能部５ａ（具体的には、携帯電話などで一般利用者が見ることのできないメモリやＣＰＵの実行エリアで課金計算やデータ保持を行う）、プリペイド販売店１０に設置しているプリペイド発行管理端末Ｄとなる。
【００２４】
次に、委譲元の受信装置４のＣＡＳライセンスを用いて委譲先の受信装置７においてコンテンツを視聴する場合にＣＡＳライセンスの権利委譲を行う。このＣＡＳライセンスの権利委譲にかかるプリペイドチケットの移動（図中実線矢印）と、利用料金の移動（図中点線矢印）について説明する。
【００２５】
ＣＡＳ管理機関２のプリペイド発行管理部Ａは、自宅の委譲元の受信装置４のＣＡＳカード３に対して、ａ．ＣＡＳライセンスを発行する。そして、委譲元の受信装置４のＣＡＳカード３は、自宅から持ち出し可能な携帯端末５のプリペイド機能部５ａに対して、ｂ．ＣＡＳライセンスを委譲する。このＣＡＳライセンスの委譲は、携帯端末５をプリペイド販売店１０に持参し、プリペイド発行管理端末Ｄからプリペイドチケットのａ’．発行を受けることによって有効となる。プリペイドチケットは、例えば、視聴時間に対応した利用料金を課金データとして携帯端末５のプリペイド機能部５ａに格納される。
【００２６】
この後、携帯端末５を外出先である委譲先の受信装置７に持って行く。そして、この委譲先の受信装置７に設けられたＣＡＳカード６に対して、ｃ．プリペイドチケットの利用分の支払いを行う。そして、委譲先の受信装置７のＣＡＳカード６は、ＣＡＳ管理機関２のプリペイド分回収管理部Ｂに対して、ｄ．利用分の支払いを行う。
【００２７】
この後、ＣＡＳ管理機関２は、プリペイド分回収管理部Ｂから利用料金の支払いをプールし、利用料金の分配管理部Ｃが、該当するサービス提供者９に対して、ｅ．利用料金の分配を行う。最後に、サービス提供者９は、外出先である委譲先の受信装置７に対してコンテンツの提供を行い、ＣＡＳカード６は、モニタ８を介したコンテンツの視聴を許可する。
【００２８】
（実施の形態１）
この実施の形態１では、普及率の高い携帯電話などの電子携帯端末をＣＡＳ（Ｃｏｎｄｉｔｉｏｎａｌ  Ａｃｃｅｓｓ  Ｓｙｓｔｅｍ）カードのライセンスに紐付けして管理し、本来視聴している受信装置から電子携帯端末に放送コンテンツ視聴ライセンスの一次委譲を行い、さらに、この電子携帯端末から他の受信装置（例えば、外出時に携帯する受信装置や、外出先の受信装置）に放送コンテンツの視聴ライセンスを二次委譲することで、他の受信装置においてＣＡＳカードを必要とせずに正当な放送コンテンツ視聴契約者という判断の下で放送コンテンツが視聴できるような放送コンテンツ受信システムを示す。
【００２９】
（放送コンテンツの視聴ライセンス委譲時の放送コンテンツ受信システムの構成）
図１−２は、この発明の実施の形態１にかかる放送コンテンツ受信システム（放送コンテンツの視聴ライセンス委譲時）の構成を示す図である。この放送コンテンツ受信システムは、自宅などの屋内で放送コンテンツの受信を行う受信装置１０１と、ＣＡＳに基づいた放送コンテンツ受信ライセンスの管理を行うＣＡＳ管理機関１０２と、携帯可能な電子携帯端末１０３と、を含み構成される。受信装置１０１と、ＣＡＳ管理機関１０２と、電子携帯端末１０３とを広域のネットワークを介して接続する場合は、他の装置への通信に際してあらかじめ所定の暗号化処理を行うことが好ましい。また、受信装置１０１と電子携帯端末１０３との間の距離が近い場合には、受信装置１０１から電子携帯端末１０３への通信に、ＬＡＮや赤外線、ケーブルなどを用いてもよい。
【００３０】
受信装置１０１は、放送コンテンツ再生機能（不図示）の他、ＣＡＳカード１１１を備えている。ＣＡＳカード１１１は、ＣＡＳライセンス委譲依頼部１１２と、ＣＡＳライセンス委譲許可受信部１１３と、ＣＡＳライセンス委譲部１１４と、を備えている。ＣＡＳカード１１１は、装着された受信装置１０１に放送コンテンツの視聴ライセンス（ＣＡＳライセンス）を与える。ＣＡＳライセンス委譲依頼部１１２は、ＣＡＳ管理機関１０２に対して他の受信装置へのＣＡＳライセンス委譲を依頼する。ＣＡＳライセンス委譲許可受信部１１３は、ＣＡＳ管理機関１０２から与えられたＣＡＳライセンス委譲許可を受信する。ＣＡＳライセンス委譲部１１４は、ＣＡＳライセンス委譲許可受信部１１３がＣＡＳ管理機関１０２からのＣＡＳライセンス委譲許可を受信すると、受信装置１０１が有するＣＡＳライセンスを電子携帯端末１０３へ委譲する。
【００３１】
ＣＡＳ管理機関１０２は、ＣＡＳライセンス委譲依頼受付部１２１と、ＣＡＳライセンス委譲管理部１２２と、データベース１２３と、ＣＡＳライセンス委譲許可発行部１２４と、を備えている。ＣＡＳライセンス委譲依頼受付部１２１は、ＣＡＳカード１１１のＣＡＳライセンス委譲依頼部１１２から発せられたＣＡＳライセンス委譲依頼を受け付ける。ＣＡＳライセンス委譲管理部１２２は、ＣＡＳライセンス委譲依頼受付部１２１が受け付けたライセンス委譲依頼を収集し、ＣＡＳライセンス委譲依頼をＣＡＳライセンス委譲情報としてデータベース１２３へ書き込む。ＣＡＳライセンス委譲許可発行部１２４は、ＣＡＳライセンス委譲依頼を発したＣＡＳカード１１１に対してＣＡＳライセンス委譲許可を発行する。
【００３２】
電子携帯端末１０３は、ＣＡＳライセンス受信部１３１と、ＣＡＳライセンス保存部１３２と、を備えている。ＣＡＳライセンス受信部１３１は、ＣＡＳカード１１１のＣＡＳライセンス委譲部１１４から委譲されたＣＡＳライセンスを受信する。ＣＡＳライセンス保存部１３２は、ＣＡＳライセンス受信部１３１が受信したＣＡＳライセンスを保存する。
【００３３】
（放送コンテンツの視聴ライセンス委譲の処理手順）
図２は、放送コンテンツの視聴ライセンス委譲の処理手順を示すフローチャートである。以下、図２に基づき、実施の形態１にかかる放送コンテンツ受信システムにおける放送コンテンツの視聴ライセンス（ＣＡＳライセンス）委譲の処理手順を説明する。
【００３４】
まず、ＣＡＳカード１１１がＣＡＳ管理機関１０２に対してＣＡＳライセンス委譲を依頼する（ステップＳ２０１）。具体的には、ＣＡＳカード１１１のＣＡＳライセンス委譲依頼部１１２が、ＣＡＳ管理機関１０２に対して他の受信装置へのＣＡＳライセンス委譲を依頼する。
【００３５】
次に、ＣＡＳ管理機関１０２が、ＣＡＳカード１１１からのＣＡＳライセンス委譲依頼を受け付ける（ステップＳ２０２）。具体的には、ＣＡＳ管理機関１０２のＣＡＳライセンス委譲依頼受付部１２１が、ＣＡＳカード１１１からのＣＡＳライセンス委譲依頼を受け付ける。
【００３６】
次に、ＣＡＳ管理機関１０２が、受信したＣＡＳライセンス委譲依頼を管理する（ステップＳ２０３）。具体的には、ＣＡＳ管理機関１０２のＣＡＳライセンス委譲管理部１２２が、ＣＡＳライセンス委譲依頼受付部１２１が受け付けたライセンス委譲依頼を収集し、ＣＡＳライセンス委譲依頼をＣＡＳライセンス委譲情報としてデータベース１２３へ書き込む。
【００３７】
次に、ＣＡＳ管理機関１０２が、ＣＡＳカード１１１に対してＣＡＳライセンス委譲許可を発行する（ステップＳ２０４）。具体的には、ＣＡＳ管理機関１０２のＣＡＳライセンス委譲許可発行部１２４が、ＣＡＳライセンス委譲依頼を発したＣＡＳカード１１１に対してＣＡＳライセンス委譲許可を発行する。
【００３８】
次に、ＣＡＳカード１１１が、ＣＡＳ管理機関１０２からのＣＡＳライセンス委譲許可を受信する（ステップＳ２０５）。具体的には、ＣＡＳカード１１１のＣＡＳライセンス委譲許可受信部１１３が、ＣＡＳ管理機関１０２のＣＡＳライセンス委譲許可発行部１２４から与えられたＣＡＳライセンス委譲許可を受信する。
【００３９】
続いて、ＣＡＳカード１１１が、電子携帯端末１０３に対してＣＡＳライセンスを委譲する（ステップＳ２０６）。具体的には、ＣＡＳカード１１１のＣＡＳライセンス委譲部１１４が、電子携帯端末１０３へＣＡＳカード１１１が有するＣＡＳライセンスを委譲する。
【００４０】
次に、電子携帯端末１０３が、ＣＡＳカード１１１からのＣＡＳライセンスの委譲を受信する（ステップＳ２０７）。具体的には、電子携帯端末１０３のＣＡＳライセンス受信部１３１が、ＣＡＳカード１１１のＣＡＳライセンス委譲部１１４から委譲されたＣＡＳライセンスを受信する。
【００４１】
最後に、電子携帯端末１０３が、受信したＣＡＳライセンスを保存する（ステップＳ２０８）。この処理は、電子携帯端末１０３のＣＡＳライセンス保存部１３２が行う。
【００４２】
以上のような手順により、この実施の形態１にかかる放送コンテンツ受信システムは、ＣＡＳカード１１１から他装置である電子携帯端末１０３に対して放送コンテンツの視聴ライセンス（ＣＡＳライセンス）を委譲することができる。なお、ＣＡＳ管理機関１０２で管理されるＣＡＳライセンス委譲情報や電子携帯端末１０３に委譲されたＣＡＳライセンスは、ブラインド署名などの手法により、個人の特定がされないままＣＡＳライセンス情報の正当性が担保される。
【００４３】
（放送コンテンツ視聴時の放送コンテンツ受信システムの構成）
図３は、この発明の実施の形態１にかかる放送コンテンツ受信システム（放送コンテンツ視聴時）の構成を示す図である。この放送コンテンツ受信システムは、携帯が可能な電子携帯端末３０１と、外出先の屋外や部屋等で放送コンテンツの視聴が可能な受信装置３０２と、ＣＡＳ管理機関３０３と、放送コンテンツ提供機関３０４と、を含み構成される。電子携帯端末３０１と、受信装置３０２と、ＣＡＳ管理機関３０３と、放送コンテンツ提供機関３０４とを広域のネットワークを介して接続する場合は、他の装置への通信に際してあらかじめ所定の暗号化処理を行うことが好ましい。
【００４４】
なお、電子携帯端末３０１と受信装置３０２とは一体的に構成してもよく、例えば、放送コンテンツの受信機能を有する携帯電話を用いることもできる。
【００４５】
電子携帯端末３０１は、図１−２に示した電子携帯端末１０３の構成に加え、さらに、ＣＡＳライセンス送信部３１１と、放送コンテンツ視聴依頼部３１２と、を備えている。ＣＡＳライセンス送信部３１１は、ＣＡＳライセンス保存部１３２（図１−２参照）にＣＡＳライセンスが保存されている場合に、放送コンテンツ視聴依頼部３１２に、ＣＡＳライセンスを保存している旨の通知を行う。また、ＣＡＳライセンス送信部３１１は、ＣＡＳライセンス保存部１３２が保存しているＣＡＳライセンスを受信装置３０２に対して送信する。放送コンテンツ視聴依頼部３１２は、ＣＡＳライセンスを保持している旨の通知を受けた場合に限り、受信装置３０２に対して放送コンテンツの視聴を依頼する。
【００４６】
受信装置３０２は、放送コンテンツ再生機能（不図示）の他、放送コンテンツ視聴依頼受付部３２１と、放送コンテンツ提供依頼部３２２と、ＣＡＳカード３２０と、を備えている。ＣＡＳカード３２０は、ＣＡＳライセンス受信部３２３と、ＣＡＳライセンス取得通知送信部３２４と、放送コンテンツ受信部３２５と、を備えている。放送コンテンツ視聴依頼受付部３２１は、電子携帯端末３０１の放送コンテンツ視聴依頼部３１２から発せられた放送コンテンツ視聴依頼を受け付ける。放送コンテンツ提供依頼部３２２は、放送コンテンツ視聴依頼受付部３２１が電子携帯端末３０１からの放送コンテンツ視聴依頼を受け付けると、放送コンテンツ提供機関３０４に対して放送コンテンツの提供を依頼する。ＣＡＳライセンス受信部３２３は、電子携帯端末３０１のＣＡＳライセンス送信部３１１から送信されたＣＡＳライセンスを受信する。ＣＡＳライセンス取得通知送信部３２４は、ＣＡＳライセンス受信部３２３が電子携帯端末３０１からのＣＡＳライセンスを受信した場合に、ＣＡＳ管理機関３０３に対してＣＡＳライセンスを取得した旨の通知を送信する。放送コンテンツ受信部３２５は、ＣＡＳカード３２０の放送コンテンツ提供機関３０４から提供された放送コンテンツを受信する。この受信装置３０２では、放送コンテンツ受信部３２５が放送コンテンツを受信することで、その放送コンテンツを視聴できるようになる。
【００４７】
ＣＡＳ管理機関３０３は、図１−２に示したＣＡＳ管理機関１０２の構成に加え、さらに、ＣＡＳライセンス取得通知受信部３３１と、ＣＡＳライセンス取得通知判定部３３２と、を備えている。
【００４８】
ＣＡＳライセンス取得通知受信部３３１は、ＣＡＳカード３２０のＣＡＳライセンス取得通知送信部３２４から送信されたＣＡＳライセンスを取得した旨の通知を受信する。ＣＡＳライセンス取得通知判定部３３２は、ＣＡＳライセンス取得通知受信部３３１が受信したＣＡＳライセンスを取得した旨の通知の真偽を判定する。ここで判定される通知の真偽は、前述した処理により、データベース１２３に格納されているＣＡＳライセンス委譲情報を参照して行われる。
【００４９】
ＣＡＳライセンスを取得した旨の通知が真正なものである場合は、ＣＡＳライセンス取得通知判定部３３２は、真偽判定を行った結果などをデータベース１２３へ書き込んでおくとよい。
【００５０】
放送コンテンツ提供機関３０４は、放送コンテンツ提供依頼受付部３４１と、放送コンテンツ提供部３４２と、を備えている。放送コンテンツ提供依頼受付部３４１は、受信装置３０２の放送コンテンツ提供依頼部３２２から送られた放送コンテンツ提供依頼を受信する。放送コンテンツ提供部３４２は、放送コンテンツ提供依頼受付部３４１が受け付けた放送コンテンツ提供依頼に合致する放送コンテンツを受信装置３０２に対し提供する。
【００５１】
（放送コンテンツ視聴の処理手順）
図４は、放送コンテンツ視聴の処理手順を示すフローチャートである。この放送コンテンツ視聴処理は、図２に基づいて説明した、放送コンテンツの視聴ライセンス（ＣＡＳライセンス）委譲処理に続いて実行されるものである。以下、図４に基づき、実施の形態１にかかる放送コンテンツ受信システムにおける放送コンテンツ視聴の処理手順を説明する。
【００５２】
まず、電子携帯端末３０１が、電子携帯端末３０１にＣＡＳライセンスが保存されているか否かを判定する（ステップＳ４０１）。具体的には、電子携帯端末３０１が、電子携帯端末３０１のＣＡＳライセンス保存部１３２（図１−２参照）にＣＡＳライセンスが保存されているか否かを判定する。ここで、ＣＡＳライセンス保存部１３２（図１−２参照）にＣＡＳライセンスが保存されている場合（ステップＳ４０１：Ｙｅｓ）、電子携帯端末３０１が、ＣＡＳカード３２０に対してＣＡＳライセンスを送信する（ステップＳ４０２）。具体的には、電子携帯端末３０１のＣＡＳライセンス送信部３１１が、ＣＡＳカード３２０のＣＡＳライセンス受信部３２３に対してＣＡＳライセンスを送信する。また、この場合（ステップＳ４０１：Ｙｅｓ）、ＣＡＳライセンス送信部３１１は、ＣＡＳライセンスが保存されている旨の通知を放送コンテンツ視聴依頼部３１２に送信する。一方、電子携帯端末３０１のＣＡＳライセンス保存部１３２（図１−２参照）にＣＡＳライセンスが保存されていない場合（ステップＳ４０１：Ｎｏ）、ＣＡＳライセンス受信部３２３へのＣＡＳライセンス送信及び放送コンテンツ視聴依頼部３１２への通知を行わず、すべての処理を終了する。
【００５３】
次に、電子携帯端末３０１が、受信装置３０２に放送コンテンツの視聴を依頼する（ステップＳ４０３）。具体的には、電子携帯端末３０１の放送コンテンツ視聴依頼部３１２は、ＣＡＳライセンス送信部３１１からＣＡＳライセンスが保存されている旨の通知があると、受信装置３０２の放送コンテンツ視聴依頼受付部３２１に対して放送コンテンツの視聴を依頼する。
【００５４】
続いて、ＣＡＳカード３２０が、電子携帯端末３０１からのＣＡＳライセンスを受信する（ステップＳ４０４）。具体的には、ＣＡＳカード３２０のＣＡＳライセンス受信部３２３が、電子携帯端末３０１のＣＡＳライセンス送信部３１１から送信されたＣＡＳライセンスを受信する。
【００５５】
続いて、受信装置３０２が、電子携帯端末３０１からの放送コンテンツの視聴依頼を受け付ける（ステップＳ４０５）。具体的には、受信装置３０２の放送コンテンツ視聴依頼受付部３２１が、電子携帯端末３０１の放送コンテンツ視聴依頼部３１２から発せられた放送コンテンツの視聴依頼を受け付ける。
【００５６】
そして、ＣＡＳカード３２０が、ＣＡＳ管理機関３０３に対してＣＡＳライセンスを取得した旨の通知を送信する（ステップＳ４０６）。具体的には、ＣＡＳカード３２０のＣＡＳライセンス取得通知送信部３２４が、ＣＡＳライセンス受信部３２３が電子携帯端末３０１からのＣＡＳライセンスを受信した場合に、ＣＡＳ管理機関３０３に対してＣＡＳライセンスを取得した旨の通知を送信する。
【００５７】
次に、ＣＡＳ管理機関３０３が、ＣＡＳカード３２０からのＣＡＳライセンスを取得した旨の通知を受信する（ステップＳ４０７）。具体的には、ＣＡＳ管理機関３０３のＣＡＳライセンス取得通知受信部３３１が、ＣＡＳカード３２０のＣＡＳライセンス取得通知送信部３２４から送信されたＣＡＳライセンスを取得した旨の通知を受信する。
【００５８】
続いて、ＣＡＳ管理機関３０３がＣＡＳライセンス取得通知の真偽を判定し、判定結果をデータベース１２３に書き込む（ステップＳ４０８）。この処理は、ＣＡＳ管理機関３０３のＣＡＳライセンス取得通知判定部３３２が行う。具体的には、ＣＡＳライセンス取得通知判定部３３２が、前述のＣＡＳライセンスを取得した旨の通知を、図２のステップＳ２０３の処理によって、データベース１２３に格納されたＣＡＳライセンス委譲依頼の内容と照合することにより実行される。そして、ＣＡＳライセンス取得通知判定部３３２は、判定の結果をデータベース１２３に書き込む。
【００５９】
一方で、受信装置３０２が、放送コンテンツ提供機関３０４に対して放送コンテンツの提供を依頼する（ステップＳ４０９）。具体的には、受信装置３０２の放送コンテンツ視聴依頼受付部３２１が電子携帯端末３０１からの放送コンテンツ視聴依頼を受け付けた後に、放送コンテンツ提供依頼部３２２が、放送コンテンツ提供機関３０４に対して放送コンテンツ視聴依頼受付部３２１が受け付けた放送コンテンツ視聴依頼の内容を送信する。
【００６０】
そして、放送コンテンツ提供機関３０４が、放送コンテンツ提供依頼を受け付ける（ステップＳ４１０）。具体的には、放送コンテンツ提供機関３０４の放送コンテンツ提供依頼受付部３４１が、受信装置３０２の放送コンテンツ提供依頼部３２２から送られた放送コンテンツ提供依頼を受信する。
【００６１】
この後、放送コンテンツ提供機関３０４が、受信装置３０２のＣＡＳカード３２０に対して放送コンテンツを提供する（ステップＳ４１１）。具体的には、放送コンテンツ提供機関３０４の放送コンテンツ提供部３４２が、放送コンテンツ提供依頼受付部３４１が受け付けた放送コンテンツ提供依頼に合致する放送コンテンツを受信装置３０２のＣＡＳカード３２０に対し提供する。
【００６２】
最後に、受信装置３０２のＣＡＳカード３２０が、放送コンテンツを受信する（ステップＳ４１２）。具体的には、ＣＡＳカード３２０の放送コンテンツ受信部３２５が、放送コンテンツ提供機関３０４の放送コンテンツ提供部３４２から提供された放送コンテンツを受信する。この受信装置３０２では、ＣＡＳカード３２０が放送コンテンツ受信部３２５が放送コンテンツを受信することで、あらかじめ備えられている放送コンテンツ再生機能（不図示）により当該放送コンテンツを視聴できるようになる。
【００６３】
以上のような手順により、この実施の形態１にかかる放送コンテンツ受信システムは、本来受信装置１０１のＣＡＳカード３２０が有する放送コンテンツの視聴ライセンス（ＣＡＳライセンス）を電子携帯端末１０３，３０１を経由して外出先の受信装置３０２のＣＡＳカード３２０に委譲し、受信装置３０２で所望の放送コンテンツを視聴することができるようになる。なお、受信装置１０１は、ＣＡＳカード１１１が接続されたままであるので、受信装置１０１でも従来どおり放送コンテンツの視聴は可能である。
【００６４】
（実施の形態２）
この実施の形態２では、普及率の高い携帯電話などの電子携帯端末をＣＡＳ（Ｃｏｎｄｉｔｉｏｎａｌ  Ａｃｃｅｓｓ  Ｓｙｓｔｅｍ）カードのライセンスに紐付けして管理し、前記電子携帯端末に放送コンテンツの視聴ライセンスの一次委譲を行うとともに、事前にプリペイド課金を行い、この電子携帯端末にプリペイドチケットの発行（または電子マネーのチャージ）を行っておき、さらに外出先の受信装置に前記電子携帯端末に委譲されたライセンスおよびプリペイドチケットを委譲することで、電子携帯端末においてＣＡＳカードを必要とせずに正当な放送コンテンツの視聴契約者という判断の下で放送コンテンツを視聴できるようにする。
【００６５】
（放送コンテンツの視聴ライセンスおよびプリペイドチケット委譲時の放送コンテンツ受信システムの構成）
図５は、この発明の実施の形態２にかかる放送コンテンツ受信システム（放送コンテンツの視聴ライセンスおよびプリペイドチケットの委譲時）の構成を示す図である。この放送コンテンツ受信システムは、自宅などの屋内で放送コンテンツの受信を行う受信装置５０１と、ＣＡＳに基づいた放送コンテンツ受信ライセンス（ＣＡＳライセンス）の管理を行うＣＡＳ管理機関５０２と、プリペイドチケットの発行・管理を行うプリペイド発行機関５０３と、携帯可能な電子携帯端末５０４と、を含み構成される。
【００６６】
受信装置５０１と、ＣＡＳ管理機関５０２と、プリペイド発行機関５０３と、電子携帯端末５０４とを、いずれも広域のネットワークを介して接続する場合は、他の装置への通信に際してあらかじめ所定の暗号化処理を行うことが好ましい。また、受信装置５０１と電子携帯端末５０４との間の距離が近い場合には、受信装置５０１から電子携帯端末５０４への通信に、ＬＡＮや赤外線、ケーブルなどを用いてもよい。
【００６７】
受信装置５０１は、放送コンテンツ再生機能（不図示）の他、ＣＡＳカード５１１を備えている。ＣＡＳカード５１１は、ＣＡＳライセンス委譲・プリペイド課金依頼部５１２と、ＣＡＳライセンス委譲許可受信部５１３と、ＣＡＳライセンス委譲部５１４と、を備えている。ＣＡＳカード５１１は、装着された受信装置５０１にＣＡＳライセンスを与える。ＣＡＳライセンス委譲・プリペイド課金依頼部５１２は、ＣＡＳ管理機関５０２に対してＣＡＳライセンス委譲・プリペイド課金を依頼する。ＣＡＳライセンス委譲許可受信部５１３は、ＣＡＳ管理機関５０２から発行されたＣＡＳライセンスを受信する。ＣＡＳライセンス委譲部５１４は、電子携帯端末５０４に対して、ＣＡＳカード５１１に基づくＣＡＳライセンスを委譲する。
【００６８】
ＣＡＳ管理機関５０２は、ＣＡＳライセンス委譲・プリペイド課金依頼受付部５２１と、プリペイドチケット発行依頼部５２２と、プリペイド情報受信部５２３と、プリペイド・ＣＡＳ連携管理部５２４と、データベース５２５と、ＣＡＳライセンス委譲許可発行部５２６と、を備えている。
【００６９】
ＣＡＳライセンス委譲・プリペイド課金依頼受付部５２１は、ＣＡＳカード５１１のＣＡＳライセンス委譲・プリペイド課金依頼部５１２から発せられたＣＡＳライセンス委譲・プリペイド課金依頼を受け付ける。プリペイドチケット発行依頼部５２２は、ＣＡＳライセンス委譲・プリペイド課金依頼受付部５２１が受け付けたプリペイド課金依頼に基づき、プリペイド発行機関５０３に対してプリペイドチケットの発行を依頼する。プリペイド情報受信部５２３は、プリペイド発行機関５０３からのプリペイドチケットの発行情報を受信する。プリペイド・ＣＡＳ連携管理部５２４は、ＣＡＳライセンス委譲・プリペイド課金依頼受付部５２１が受け付けたＣＡＳライセンス委譲依頼と、プリペイド情報受信部５２３が受信したプリペイドチケットの発行情報を収集し、どの受信装置へのＣＡＳライセンス委譲依頼があったか、またどの受信装置にプリペイドチケットを発行したかを把握する。そして、それらの情報をプリペイド・ＣＡＳ連携情報としてデータベース５２５へ書き込む。ＣＡＳライセンス委譲許可発行部５２６は、ＣＡＳカード５１１に対してＣＡＳライセンス委譲許可を発行する。
【００７０】
プリペイド発行機関５０３は、プリペイドチケット発行依頼受付部５３１と、プリペイド情報送信部５３２と、プリペイドチケット発行部５３３と、を備えている。プリペイドチケット発行依頼受付部５３１は、ＣＡＳ管理機関５０２のプリペイドチケット発行依頼部５２２が発したプリペイドチケット発行依頼を受け付ける。プリペイド情報送信部５３２は、ＣＡＳ管理機関５０２に対して、プリペイドチケットの発行情報を通知する。プリペイドチケット発行部５３３は、ＣＡＳ管理機関５０２からのプリペイドチケット発行依頼に基づいて、電子携帯端末５０４に対して、プリペイドチケットを発行する。
【００７１】
電子携帯端末５０４は、ＣＡＳライセンス受信部５４１と、プリペイドチケット受信部５４２と、プリペイドチケット・ＣＡＳライセンス保存部５４３と、を備えている。ＣＡＳライセンス受信部５４１は、ＣＡＳカード５１１のＣＡＳライセンス委譲部５１４から委譲されたＣＡＳライセンスを受信する。プリペイドチケット受信部５４２は、プリペイド発行機関５０３のプリペイドチケット発行部５３３から発行されたプリペイドチケットを受信する。プリペイドチケット・ＣＡＳライセンス保存部５４３は、ＣＡＳライセンス受信部５４１が受信したＣＡＳライセンスと、プリペイドチケット受信部５４２が受信したプリペイドチケットを保存する。
【００７２】
（放送コンテンツの視聴ライセンスおよびプリペイドチケット委譲の処理手順）
図６は、放送コンテンツの視聴ライセンスおよびプリペイドチケット委譲の処理手順を示すフローチャートである。以下、図６に基づき、実施の形態２にかかる放送コンテンツ受信システムにおける放送コンテンツの視聴ライセンス（ＣＡＳライセンス）およびプリペイドチケットの委譲の処理手順を説明する。
【００７３】
まず、ＣＡＳカード５１１が、ＣＡＳ管理機関５０２に対してＣＡＳライセンス委譲・プリペイド課金を依頼する（ステップＳ６０１）。具体的には、ＣＡＳカード５１１のＣＡＳライセンス委譲・プリペイド課金依頼部５１２が、ＣＡＳ管理機関５０２に対してＣＡＳライセンス委譲・プリペイド課金を依頼する。
【００７４】
次に、ＣＡＳ管理機関５０２が、ＣＡＳライセンス委譲・プリペイド課金依頼を受け付ける（ステップＳ６０２）。具体的には、ＣＡＳ管理機関５０２のＣＡＳライセンス委譲・プリペイド課金依頼受付部５２１が、ＣＡＳカード５１１からのＣＡＳライセンス委譲・プリペイド課金依頼を受け付ける。
【００７５】
次に、ＣＡＳ管理機関５０２が、プリペイド発行機関５０３に対してプリペイドチケットの発行を依頼する（ステップＳ６０３）。具体的には、ＣＡＳ管理機関５０２のプリペイドチケット発行依頼部５２２がプリペイド発行機関５０３に対してプリペイドチケットの発行を依頼する。
【００７６】
次に、プリペイド発行機関５０３が、プリペイドチケット発行依頼を受け付ける（ステップＳ６０４）。具体的には、プリペイド発行機関５０３のプリペイドチケット発行依頼受付部５３１が、ＣＡＳ管理機関５０２のプリペイドチケット発行依頼部５２２が発したプリペイドチケット発行依頼を受け付ける。
【００７７】
次に、プリペイド発行機関５０３が、ＣＡＳ管理機関５０２に対してプリペイドチケット発行情報を送信する（ステップＳ６０５）。具体的には、プリペイド発行機関５０３のプリペイド情報送信部５３２が、ＣＡＳ管理機関５０２に対して、プリペイドチケットの発行情報を送信する。
【００７８】
ＣＡＳ管理機関５０２が、プリペイドチケット発行情報を受信する（ステップＳ６０６）。具体的には、ＣＡＳ管理機関５０２のプリペイド情報受信部５２３が、プリペイド発行機関５０３のプリペイド情報送信部５３２から送信されたプリペイドチケット発行情報を受信する。
【００７９】
ＣＡＳ管理機関５０２が、ＣＡＳライセンス委譲依頼情報とプリペイドチケット発行情報を連携し管理する（ステップＳ６０７）。具体的には、ＣＡＳ管理機関５０２のプリペイド・ＣＡＳ連携管理部５２４が、ＣＡＳライセンス委譲・プリペイド課金依頼受付部５２１が受け付けたＣＡＳライセンス委譲依頼と、ＣＡＳ管理機関５０２のプリペイド情報受信部５２３が受信したプリペイドチケットの発行情報を収集し、どのＣＡＳカードへのＣＡＳライセンス委譲依頼があったか、またどの受信装置にプリペイドチケットを発行したかを把握する。そして、それらの情報をプリペイド・ＣＡＳ連携情報としてデータベース５２５へ書き込む。
【００８０】
ＣＡＳ管理機関５０２が、ＣＡＳカード５１１に対してＣＡＳライセンス委譲許可を発行する（ステップＳ６０８）。具体的には、ＣＡＳ管理機関５０２のＣＡＳライセンス委譲許可発行部５２６が、ＣＡＳカード５１１のＣＡＳライセンス委譲許可受信部５１３に対してＣＡＳライセンス委譲許可を発行する。
【００８１】
ＣＡＳカード５１１が、ＣＡＳライセンス委譲許可を受信する（ステップＳ６０９）。具体的には、ＣＡＳカード５１１のＣＡＳライセンス委譲許可受信部５１３が、ＣＡＳ管理機関５０２から発行されたＣＡＳライセンス委譲許可を受信する。
【００８２】
プリペイド発行機関５０３が、電子携帯端末５０４へプリペイドチケットを発行する（ステップＳ６１０）。具体的には、プリペイド発行機関５０３のプリペイドチケット発行部５３３が、ＣＡＳ管理機関５０２からのプリペイドチケット発行依頼に基づいて、電子携帯端末５０４に対して、プリペイドチケットを発行する。
【００８３】
電子携帯端末５０４が、プリペイドチケットを受信する（ステップＳ６１１）。具体的には、電子携帯端末５０４のプリペイドチケット受信部５４２が、プリペイド発行機関５０３のプリペイドチケット発行部５３３から発行されたプリペイドチケットを受信する。
【００８４】
ＣＡＳカード５１１が、電子携帯端末５０４へＣＡＳライセンス委譲する（ステップＳ６１２）。具体的には、ＣＡＳカード５１１のＣＡＳライセンス委譲部５１４が、電子携帯端末５０４に対して、ＣＡＳカード５１１に基づくＣＡＳライセンスを委譲する。
【００８５】
電子携帯端末５０４が、ＣＡＳライセンスを受信する（ステップＳ６１３）。具体的には、電子携帯端末５０４のＣＡＳライセンス受信部５４１が、ＣＡＳカード５１１のＣＡＳライセンス委譲部５１４から委譲されたＣＡＳライセンスを受信する。
【００８６】
最後に、電子携帯端末５０４が、ＣＡＳライセンスとプリペイドチケットを保存する（ステップＳ６１４）。この処理は、電子携帯端末５０４のプリペイドチケット・ＣＡＳライセンス保存部５４３が行う。
【００８７】
なお、上記ステップＳ６０９の処理を省略し、上記ステップＳ６０６の処理を行うのと同時にＣＡＳ管理機関５０２に対してプリペイドチケットを発行し、上記ステップＳ６０７の処理後に、ＣＡＳ管理機関５０２から受信装置５０１へそのプリペイドチケットが発行されるようにしてもよい。
【００８８】
以上のような手順により、この実施の形態２にかかる放送コンテンツ受信システムは、ＣＡＳカード５１１から他装置である電子携帯端末５０４に対して放送コンテンツの視聴ライセンス（ＣＡＳライセンス）を委譲することができるとともに、プリペイド課金を実行するための準備を整えることができる。なお、ＣＡＳ管理機関５０２で管理されるＣＡＳライセンス委譲情報や電子携帯端末５０４に委譲されたＣＡＳライセンスは、ブラインド署名などの手法により、個人の特定がされないままＣＡＳライセンス情報の正当性が担保される。
【００８９】
なお、この実施の形態２に係る放送コンテンツ受信システムの上記構成では、プリペイドチケット発行機関５０３から電子携帯端末５０４に対しプリペイドチケットを直接発行する形態を例示したが、その他の構成として、ＣＡＳカード５１１が、プリペイド発行機関５０３からプリペイドチケットの発行を受け、電子携帯端末５０４に対してプリペイドチケットをＣＡＳライセンスと一緒に委譲する構成としてもよい。また、プリペイドチケットの発行を受ける方法として、当該チケットを電子携帯端末５０４にプリペイド発行機関５０３から直接受信するか、または自宅の受信装置５０１のユーザインターフェースを通じてＣＡＳカード５１１に当該チケットを受信し、ＣＡＳカード５１１から電子携帯端末５０４に対して当該チケットを委譲するかを、ユーザが選択できるようにしてもよい。
【００９０】
（放送コンテンツ視聴時の放送コンテンツ受信システムの構成）
図７は、この発明の実施の形態２にかかる放送コンテンツ受信システム（プリペイド課金を必要とする放送コンテンツ視聴時）の構成を示す図である。この放送コンテンツ受信システムは、携帯可能な電子携帯端末７０１と、外出先の屋外や部屋等で放送コンテンツの視聴が可能な受信装置７０２と、ＣＡＳ管理機関７０３と、放送コンテンツ提供機関７０４と、を含み構成される。電子携帯端末７０１と、受信装置７０２と、ＣＡＳ管理機関７０３と、放送コンテンツ提供機関７０４とを広域のネットワークを介して接続する場合は、他の装置への通信に際してあらかじめ所定の暗号化処理を行うことが好ましい。なお、電子携帯端末７０１と受信装置７０２とは一体的に構成してもよい。
【００９１】
電子携帯端末７０１は、図５に示した電子携帯端末５０４の構成に加え、さらに、ＣＡＳライセンス送信部７１１と、放送コンテンツ視聴依頼部７１２と、プリペイドチケット送信部７１３と、プリペイドチケット課金部７１４と、を備えている。ＣＡＳライセンス送信部７１１は、プリペイドチケット・ＣＡＳライセンス保存部５４３（図５参照）にＣＡＳライセンスが保存されている場合、ＣＡＳカード７２０に対してＣＡＳライセンスを送信する。また、ＣＡＳライセンス送信部７１１は、放送コンテンツ視聴依頼部７１２に対し、ＣＡＳライセンスが保存されている旨の通知を送信する。放送コンテンツ視聴依頼部７１２は、ＣＡＳライセンス送信部７１１からＣＡＳライセンスが保存されている旨の通知を受信したときに限り、受信装置７０２に対して放送コンテンツの視聴を依頼する。プリペイドチケット送信部７１３は、プリペイドチケット・ＣＡＳライセンス保存部５４３（図５参照）が保存しているプリペイドチケットを受信装置７０２に対して送信する。プリペイド課金部７１４は、放送コンテンツの視聴依頼に応じた課金処理を行う。
【００９２】
受信装置７０２は、放送コンテンツ再生機能（不図示）の他、ＣＡＳカード７２０と、放送コンテンツ視聴依頼受付部７２１と、放送コンテンツ提供依頼部７２２と、を備えている。また、ＣＡＳカード７２０は、プリペイドチケット受信部７２３と、プリペイドチケット・ＣＡＳライセンス取得通知送信部７２５と、放送コンテンツ受信部７２６と、を備えている。
【００９３】
放送コンテンツ視聴依頼受付部７２１は、電子携帯端末７０１の放送コンテンツ視聴依頼部７１２から発せられた放送コンテンツ視聴依頼を受け付ける。放送コンテンツ提供依頼部７２２は、放送コンテンツ視聴依頼受付部７２１が電子携帯端末７０１からの放送コンテンツ視聴依頼を受け付けると、放送コンテンツ提供機関７０４に対して放送コンテンツの提供を依頼する。プリペイドチケット受信部７２３は、電子携帯端末７０１のプリペイドチケット送信部７１３から送信されたプリペイドチケットを受信する。ＣＡＳライセンス受信部７２４は、電子携帯端末７０１のＣＡＳライセンス送信部７１１から送信されたＣＡＳライセンスを受信する。プリペイドチケット・ＣＡＳライセンス取得通知送信部７２５は、電子携帯端末７０１からプリペイドチケットとＣＡＳライセンスを取得した旨の通知をＣＡＳ管理機関７０３へ送信する。放送コンテンツ受信部７２６は、放送コンテンツ提供機関７０４から提供された放送コンテンツを受信する。この受信装置７０２では、ＣＡＳカード７２０の放送コンテンツ受信部７２６が放送コンテンツを受信することで、その放送コンテンツを視聴できるようになる。
【００９４】
ＣＡＳ管理機関７０３は、図５に示したＣＡＳ管理機関５０２の構成に加え、さらに、プリペイドチケット・ＣＡＳライセンス取得通知受信部７３１と、プリペイドチケット・ＣＡＳライセンス判定部７３２と、料金分配部７３３と、を備えている。
【００９５】
プリペイドチケット・ＣＡＳライセンス取得通知受信部７３１は、ＣＡＳカード７２０からのプリペイドチケット・ＣＡＳライセンス取得通知を受信する。プリペイドチケット・ＣＡＳライセンス判定部７３２は、プリペイドチケット・ＣＡＳライセンス取得通知受信部７３１が受信したプリペイドチケット・ＣＡＳライセンス取得通知の真偽を判定する。ここで判定されるプリペイドチケット・ＣＡＳライセンス取得通知の真偽は、前述した処理により、データベース５２５に格納されたプリペイド・ＣＡＳ連携情報を参照して判定される。また、プリペイドチケット・ＣＡＳライセンス判定部７３２は、真偽判定を行った結果をデータベース５２５へ書き込む。料金分配部７３３は、放送コンテンツ提供機関７０４に対して料金の分配を行う。
【００９６】
放送コンテンツ提供機関７０４は、料金受取部７４１と、放送コンテンツ提供依頼受付部７４２と、放送コンテンツ提供部７４３と、を備えている。料金受取部７４１は、ＣＡＳ管理機関７０３の料金分配部７３３から分配された料金を受け取る（実際は分配料金の情報を受信する）。放送コンテンツ提供依頼受付部７４２は、受信装置７０２の放送コンテンツ提供依頼部７２２から送られた放送コンテンツ提供依頼を受信する。放送コンテンツ提供部７４３は、放送コンテンツ提供依頼受付部７４２が受け付けた放送コンテンツ提供依頼に合致する放送コンテンツを受信装置７０２のＣＡＳカード７２０に対し提供する。
【００９７】
（プリペイド課金を必要とする放送コンテンツ視聴の処理手順）
図８は、プリペイド課金を必要とする放送コンテンツ視聴の処理手順を示すフローチャートである。この放送コンテンツ視聴処理は、図６に基づいて説明した、放送コンテンツの視聴ライセンス（ＣＡＳライセンス）およびプリペイドチケット委譲処理に続いて実行されるものである。以下、図８に基づき、実施の形態２にかかる放送コンテンツ受信システムにおける放送コンテンツ視聴の処理手順を説明する。
【００９８】
まず、電子携帯端末７０１が、電子携帯端末７０１にＣＡＳライセンスが保存されているか否かを判定する（ステップＳ８０１）。具体的には、電子携帯端末７０１のプリペイドチケット・ＣＡＳライセンス保存部５４３（図５参照）にＣＡＳライセンスが保存されているか否かを判定する。ここで、プリペイドチケット・ＣＡＳライセンス保存部５４３（図５参照）にＣＡＳライセンスが保存されている場合（ステップＳ８０１：Ｙｅｓ）、電子携帯端末７０１が、ＣＡＳカード７２０に対してＣＡＳライセンスを送信する（ステップＳ８０２）。具体的には、電子携帯端末７０１のＣＡＳライセンス送信部７１１が、ＣＡＳカード７２０のＣＡＳライセンス受信部７２４に対してＣＡＳライセンスを送信する。また、この場合（ステップＳ８０１：Ｙｅｓ）、ＣＡＳライセンス送信部７１１は、ＣＡＳライセンスが保存されている旨の通知を放送コンテンツ視聴依頼部７１２に送信する。一方、電子携帯端末７０１のプリペイドチケット・ＣＡＳライセンス保存部５４３（図５参照）にＣＡＳライセンスが保存されていない場合（ステップＳ８０１：Ｎｏ）、ＣＡＳライセンス受信部７２４へのＣＡＳライセンス送信及び放送コンテンツ視聴依頼部７１２への通知を行わず、すべての処理を終了する。
【００９９】
次に、電子携帯端末７０１が、受信装置７０２に対して放送コンテンツの視聴を依頼する（ステップＳ８０３）。具体的には、電子携帯端末７０１の放送コンテンツ視聴依頼部７１２が、受信装置７０２の放送コンテンツ視聴依頼受付部７２１に対して放送コンテンツの視聴を依頼する。
【０１００】
次に、電子携帯端末７０１が、受信装置７０２のＣＡＳカード７２０に対してプリペイドチケットを送信する（ステップＳ８０４）。具体的には、電子携帯端末７０１のプリペイドチケット送信部７１３が、プリペイドチケット・ＣＡＳライセンス保存部５４２（図５参照）に保存されているプリペイドチケットをＣＡＳカード７２０のプリペイドチケット受信部７２３に対して送信する。また、このときプリペイドチケット課金部７１４は、放送コンテンツの視聴依頼に応じた課金処理を行う。
【０１０１】
続いて、ＣＡＳカード７２０が、電子携帯端末７０１からのＣＡＳライセンスを受信する（ステップＳ８０５）。具体的には、ＣＡＳカード７２０のＣＡＳライセンス受信部７２４が、電子形態端末７０１のＣＡＳライセンス送信部７１１から送信されたＣＡＳライセンスを受信する。
【０１０２】
続いて、受信装置７０２が、放送コンテンツの視聴依頼を受け付ける（ステップＳ８０６）。具体的には、受信装置７０２の放送コンテンツ視聴依頼受付部７２１が、電子携帯端末７０１の放送コンテンツ視聴依頼部７１２から発せられた放送コンテンツの視聴依頼を受け付ける。
【０１０３】
続いて、ＣＡＳカード７２０が、プリペイドチケットを受信する（ステップＳ８０７）。具体的には、ＣＡＳカード７２０のプリペイドチケット受信部７２３が、電子携帯端末７０１のプリペイドチケット送信部７１３から送信されたプリペイドチケットを受信する。
【０１０４】
そして、ＣＡＳカード７２０が、ＣＡＳ管理機関７０３に対してプリペイドチケットとＣＡＳライセンスを取得した旨の通知を送信する（ステップＳ８０８）。具体的には、ＣＡＳカード７２０のプリペイドチケット・ＣＡＳライセンス取得通知送信部７２５が、プリペイドチケットとＣＡＳライセンスを取得した旨の通知をＣＡＳ管理機関７０３へ送信する。
【０１０５】
次に、ＣＡＳ管理機関７０３が、プリペイドチケット・ＣＡＳライセンス取得通知を受信する（ステップＳ８０９）。具体的には、ＣＡＳ管理機関７０３のプリペイドチケット・ＣＡＳライセンス取得通知受信部７３１が、ＣＡＳカード７２０のプリペイドチケット・ＣＡＳライセンス取得通知送信部７２５から送信された通知を受信する。
【０１０６】
続いて、受信したプリペイドチケット・ＣＡＳライセンスの取得通知の真偽を判定し、データベース５２５に記憶する（ステップＳ８１０）。この処理は、ＣＡＳ管理機関７０３のプリペイドチケット・ＣＡＳライセンス判定部７３２が行う。具体的には、プリペイドチケット・ＣＡＳライセンス判定部７３２が、プリペイドチケット・ＣＡＳライセンス取得通知受信部７３１が受信したプリペイドチケット・ＣＡＳライセンス取得通知を、図６のステップＳ６０７によりデータベース５２５へ書き込まれたプリペイド・ＣＡＳ連携情報と照合して、当該プリペイドチケット・ＣＡＳライセンス取得通知の真偽を判定する。
【０１０７】
続いて、ＣＡＳ管理機関７０３の料金分配部７３３が放送コンテンツ提供機関７０４に対して料金の分配を行う（ステップＳ８１１）。
【０１０８】
次に、放送コンテンツ提供機関７０４が、料金の分配を受ける（ステップＳ８１２）。ここでは、放送コンテンツ提供機関７０４の料金受取部７４１が、ＣＡＳ管理機関７０３の料金分配部７３３から分配された料金を受け取る（実際は分配料金の情報を受信する）。
【０１０９】
一方で、受信装置７０２が、放送コンテンツ提供機関７０４に対して放送コンテンツの提供を依頼する（ステップＳ８１３）。具体的には、受信装置７０２の放送コンテンツ視聴依頼受付部７２１が電子携帯端末７０１からの放送コンテンツ視聴依頼を受け付けた後に、放送コンテンツ提供依頼部７２２が、放送コンテンツ提供機関７０４に対して放送コンテンツ視聴依頼受付部７２１が受け付けた放送コンテンツ視聴依頼の内容を送信する。
【０１１０】
そして、放送コンテンツ提供機関７０４が、放送コンテンツ提供依頼を受け付ける（ステップＳ８１４）。具体的には、放送コンテンツ提供機関７０４の放送コンテンツ提供依頼受付部７４２が、受信装置７０２の放送コンテンツ提供依頼部７２２から送られた放送コンテンツ提供依頼を受信する。
【０１１１】
この後、放送コンテンツ提供機関７０４が、受信装置７０２に対して放送コンテンツを提供する（ステップＳ８１５）。具体的には、放送コンテンツ提供機関７０４の放送コンテンツ提供部７４３が、放送コンテンツ提供依頼受付部７４２が受け付けた放送コンテンツ提供依頼に合致する放送コンテンツを受信装置７０２に対し提供する。
【０１１２】
最後に、受信装置７０２が、放送コンテンツを受信する（ステップＳ８１６）。具体的には、受信装置７０２の放送コンテンツ受信部７２６が、放送コンテンツ提供機関７０４の放送コンテンツ提供部７４３から提供された放送コンテンツを受信する。この受信装置７０２では、ＣＡＳカード７２０の放送コンテンツ受信部７２６が放送コンテンツを受信することで、あらかじめ備えられている放送コンテンツ視聴機能（不図示）により当該放送コンテンツを視聴できるようになる。
【０１１３】
なお、上記の処理手順は、実際に行われる各種サービスの性質により、入れ替えることもできる。例えば、上記ステップＳ８１５における放送コンテンツ受信処理が確認された後に、上記ステップＳ８１０とステップＳ８１１の料金分配処理を行ってもよい。
【０１１４】
以上のような手順により、この実施の形態２にかかる放送コンテンツ受信システムは、本来受信装置７０２のＣＡＳカード７２０が有する放送コンテンツの視聴ライセンス（ＣＡＳライセンス）を電子携帯端末５０４，７０１を経由して受信装置７０２のＣＡＳカード７２０に委譲し、受信装置７０２で所望の放送コンテンツを視聴することができるようになる。また、受信装置７０２で視聴した放送コンテンツに対するプリペイド課金も受信装置５０１に課金する場合と同様に実行することができる。なお、この実施の形態２でも、受信装置５０１は、ＣＡＳカード５１１が接続されたままなので、受信装置５０１でも従来どおり放送コンテンツの視聴は可能である。また、この実施の形態２では、受信装置５０１が、プリペイド発行機関５０３からのプリペイドチケット発行を受ける代わりに、例えば、ＩＣカード形式のプリペイドカードを使用することもできる。
【０１１５】
以上説明したように、実施の形態１、２によれば、プリペイド課金が必要とされるか否かにかかわらず、放送コンテンツの視聴ライセンス（ＣＡＳライセンス）を受信装置に委譲することで、本来自宅等の一つの受信装置においてのみ視聴が可能な放送コンテンツを外出先等の他の受信装置で視聴することができるようになる。なお、委譲先のＣＡＳカードは、自宅の委譲元ＣＡＳカードから独立したものであればよく、例えば、委譲先の受信装置に備えられたＣＡＳカードは、自宅の委譲元の受信装置が置かれている部屋とは別の部屋の受信装置に備えられたＣＡＳカード、とすることもできる。
【０１１６】
なお、実施の形態１及び実施の形態２では、コンテンツ視聴の際のＣＡＳライセンスの確認を電子携帯端末３０１で行うように構成したが、当該確認をＣＡＳカード３２０で行うように構成してもよい。
【０１１７】
また、実施の形態２では、ＣＡＳ管理機関５０２と、プリペイド発行機関５０３とを独立した構成としたが、それぞれの役割を兼ねた一つの機関で構成してもよい。
【０１１８】
また、実施の形態２では、コンテンツの視聴に応じた課金処理を電子携帯端末７０１で行うように構成したが、当該課金処理をＣＡＳ管理機関７０３で行うように構成してもよい。
【０１１９】
なお、この実施の形態で説明した放送コンテンツ視聴ライセンス委譲方法、放送コンテンツ視聴ライセンスおよびプリペイドチケット委譲方法、放送コンテンツ受信方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１２０】
以上のように、この発明にかかるＣＡＳ管理装置、受信装置、携帯端末、プリペイドチケット発行装置、ＣＡＳライセンス委譲システム、ＣＡＳライセンス委譲方法およびプログラムは、デジタル放送の各種コンテンツの視聴に有用であり、特に、放送コンテンツを受信装置の以外の受信装置で視聴することが望まれている場合に適している。
【図面の簡単な説明】
【０１２１】
【図１−１】コンテンツ視聴における視聴ライセンスの権利委譲システムを示す全体構成図である。
【図１−２】この発明の実施の形態１にかかる放送コンテンツ受信システム（放送コンテンツの視聴ライセンス委譲時）の構成を示す図である。
【図２】放送コンテンツの視聴ライセンス委譲の処理手順を示すフローチャートである。
【図３】この発明の実施の形態１にかかる放送コンテンツ受信システム（放送コンテンツ視聴時）の構成を示す図である。
【図４】放送コンテンツ視聴の処理手順を示すフローチャートである。
【図５】この発明の実施の形態２にかかる放送コンテンツ受信システム（放送コンテンツの視聴ライセンスおよびプリペイドチケット委譲時）の構成を示す図である。
【図６】放送コンテンツの視聴ライセンスおよびプリペイドチケット委譲の処理手順を示すフローチャートである。
【図７】この発明の実施の形態２にかかる放送コンテンツ受信システム（プリペイド課金を必要とする放送コンテンツ視聴時）の構成を示す図である。
【図８】プリペイド課金を必要とする放送コンテンツ視聴の処理手順を示すフローチャートである。
【符号の説明】
【０１２２】
１  ＣＡＳライセンス委譲システム
２  ＣＡＳ管理機関
３，６  ＣＡＳカード
４  自宅の（委譲元）受信装置
５  携帯端末
７  外出先の（委譲先）受信装置
８  モニタ
９  サービス提供者
１０  プリペイド販売店
１０１，５０１  自宅等の受信装置
１０２，３０３，５０２，７０３  ＣＡＳ管理機関
１０３，３０１，５０４，７０１  電子携帯端末
１１１，５１１  ＣＡＳカード
１１２  ＣＡＳライセンス委譲依頼部
１１３  ＣＡＳライセンス委譲許可受信部
１１４  ＣＡＳライセンス委譲部
１２１  ＣＡＳライセンス委譲依頼受付部
１２２  ＣＡＳライセンス委譲管理部
１２３，５２５  データベース
１２４  ＣＡＳライセンス委譲許可発行部
１３１，３２３，７２４  ＣＡＳライセンス受信部
１３２  ＣＡＳライセンス保存部
３０２，７０２  外出先の受信装置
３０４，７０４  放送コンテンツ提供機関
３１１，７１１  ＣＡＳライセンス送信部
３１２，７１２  放送コンテンツ視聴依頼部
３２１，７２１  放送コンテンツ視聴依頼受付部
３２２，７２２  放送コンテンツ提供依頼部
３２４  ＣＡＳライセンス取得通知送信部
３２５，７２６  放送コンテンツ受信部
３３１  ＣＡＳライセンス取得通知受信部
３３２  ＣＡＳライセンス取得通知判定部
３４１，７４２  放送コンテンツ提供依頼受付部
３４２，７４３  放送コンテンツ提供部
５１２  ＣＡＳライセンス委譲・プリペイド課金依頼部
５１３  ＣＡＳライセンス委譲許可受信部
５１４  ＣＡＳライセンス委譲部
５２１  ＣＡＳライセンス委譲・プリペイド課金依頼受付部
５２２  プリペイドチケット発行依頼部
５２３  プリペイド情報受信部
５２４  プリペイド・ＣＡＳ連携管理部
５３１  プリペイドチケット発行依頼受付部
５３２  プリペイド情報送信部
５３３  プリペイドチケット発行部
５４１  ＣＡＳライセンス受信部
５４３  プリペイドチケット・ＣＡＳライセンス保存部
７１３  プリペイドチケット送信部
７２３  プリペイドチケット受信部
７２５  プリペイドチケット・ＣＡＳライセンス取得通知送信部
７３１  プリペイドチケット・ＣＡＳライセンス取得通知受信部
７３２  プリペイドチケット・ＣＡＳライセンス判定部
７３３  料金分配部
７４１  料金受取部
【図１−１】
2007214667.tif 000003
【図１−２】
2007214667.tif 000004
【図２】
2007214667.tif 000005
【図３】
2007214667.tif 000006
【図４】
2007214667.tif 000007
【図５】
2007214667.tif 000008
【図６】
2007214667.tif 000009
【図７】
2007214667.tif 000010
【図８】
2007214667.tif 000011